(57)【要約】      （修正有）【課題】既知の従来技術装置を改善可能な、時間情報または時間から派生する情報を示すモバイルを提供する。【解決手段】時間情報または時間から派生する情報を示すカレンダーモバイル１０であって、カレンダーモバイル１０を駆動する駆動接触作用を受けることが意図される及びまたはカレンダーモバイル１０からの駆動接触作用を伝達することが意図される、少なくとも１つの第１障害要素１ａを含み、第１障害要素１ａはチタンまたはチタン合金製であり、カレンダーモバイル１０は円板であり、またはカレンダーモバイル１０は実質的に円板形状を有し、またはカレンダーモバイル１０は実質的に円板リングの形状を有する。【選択図】図１
2019144226.tif 000002
【特許請求の範囲】
【請求項１】
時間情報または時間から派生する情報を示すカレンダーモバイル（１０）であって、前記カレンダーモバイルを駆動する駆動接触作用を受けることが意図される及びまたは前記カレンダーモバイルからの駆動接触作用を伝達することが意図される、少なくとも１つの第１障害要素（１ａ、２ａ、３ａ）を含み、前記第１障害要素はチタンまたはチタン合金製であり、前記モバイルは円板でありまたは前記モバイルは実質的に円板形状を有し、または前記モバイルは実質的に円板リングの形状を有する、
カレンダーモバイル（１０）。
【請求項２】
前記第１障害要素は、歯の第１組（１ａ）、特に少なくとも７本の歯の第１組、特に１２本の歯または１４本の歯または３１本の歯の第１組を有しまたはそれらからなり、及びまたは１時間毎に、または２４時間毎に第１駆動爪と協働するように設計された歯の第１組を含みまたは歯の第１組である、
請求項１に記載のモバイル。
【請求項３】
前記モバイルは第２障害要素を含み、前記第２障害要素は、歯の第２組（２ａ）、特に１本の歯及びまたは４本の歯及びまたは５本の歯の第２組であり、及びまたは３１日より少ない月の少なくともいくつかの月末に第２駆動爪と協働するように設計された歯の第２組を含みまたは歯の第２組である、
請求項１または２に記載のモバイル。
【請求項４】
前記歯の第２組は、前記モバイルの前記残余に対して固定される、または前記歯の第２組は前記モバイルの前記残余に対して可動である、特に前記モバイルの残余に対して回転可動であるまたは前記モバイルの前記残余に対して後退可能に可動である、
請求項３に記載のモバイル。
【請求項５】
前記モバイルは第３障害要素を含み、前記第３障害要素は、歯の第３組（３ａ）、特に月カム及びまたはインジケーターを駆動するよう設計された歯の第３組を含みまたは歯の第３組である、
請求項１から４のいずれか一項に記載のモバイル。
【請求項６】
前記モバイルは、複数の高さに配置される、または複数の前記モバイルの回転軸（Ａ１）に対して複数の平行な平面に配置される、複数の障害要素（１ａ、２ａ、３ａ）を含む、
請求項１から５のいずれか一項に記載のモバイル。
【請求項７】
前記モバイルは一体として製造される、請求項１から６のいずれか一項に記載のモバイル。
【請求項８】
前記モバイルは、時間情報または時間から派生する情報を、特に数字及びまたはアルファベット情報を担う支持部（３）を含み、前記支持部は前記リング（１）と一体である、
請求項７に記載のモバイル。
【請求項９】
前記モバイルは、部品（１、３）の組立品である、
請求項１から６のいずれか一項に記載のモバイル。
【請求項１０】
前記モバイルは、時間情報または時間から派生する情報を、特に数字及びまたはアルファベット情報を担う支持部（３）を含み、前記支持部は前記リング（１）に取付けられる、特にねじ止めされる、または前記支持部は前記リングと一体である、
請求項９に記載のモバイル。
【請求項１１】
前記モバイルは案内部分、特にモバイル回転案内部分を含み、前記部分は、減摩素材で、特に潤滑剤及びまたはＰＴＦＥのようなコーティングにより被膜される、及びまたは前記少なくとも１つの障害要素は、レーザー切断及びまたは水ジェット切断により得られる、及びまたは各障害要素は前記モバイルの前記残余に対して取りつけられる、または前記モバイルの部品と、特にリングまたは支持部と一体に製造される、
請求項１から１０のいずれか一項に記載のモバイル。
【請求項１２】
請求項１から１１のいずれか一項に記載のモバイルを含む、クロックシステム（１００）、特にクロックカレンダーシステム。
【請求項１３】
前記モバイルは歯の第１組を含み、前記システムは前記歯の第１組を駆動する第１爪を含み、前記第１爪は鋼製であり、特に快削鋼または硬化マルテンサイト系鋼製であり、及びまたは前記モバイルは歯の第２組を含み、前記システムは前記歯の第２組を駆動する第２爪を含み、前記第２爪は鋼製であり、特に快削鋼または硬化マルテンサイト系鋼製である、
請求項１２に記載のクロックシステム（１００）。
【請求項１４】
請求項１から１１のいずれか一項に記載のモバイル及びまたは請求項１２または１３に記載のシステムを含む、クロックムーブメント（２００）。
【請求項１５】
請求項１から１１のいずれか一項に記載のモバイル及びまたは請求項１２または１３に記載のシステム及びまたは請求項１４に記載のムーブメントを含む、時計（３００）、特に腕時計。
【発明の詳細な説明】
【技術分野】
【０００１】
本発明は、時間情報または時間から派生する情報を示すモバイルに関する。本発明はまた、当該種類のモバイルを含むクロックシステムに関する。本発明は更に、当該種類のシステムまたは当該種類のモバイルを含む時計に関する。
【背景技術】
【０００２】
本発明は、特にカレンダー機構に関し、更に具体的にはカレンダーモバイルまたは日付モバイルに関する。当該種類のモバイルは、その日の日付を表示するために、一般的には、真夜中に一度限りのパルスを伝達する駆動モバイルにより、少なくとも１段駆動されるように歯部が設けられた円板の形状を取る。単純なカレンダー機構の場合、当該種類の円板は、駆動モバイルにより、一度限り、１段のみ駆動されるように設計される。当該円板は、一般的には、平面または実質的に平面であり、珪孔雀石やニッケルシルバーといった、銅または亜鉛基の合金製である。年間日付、半万年日付、または万年日付カレンダー機構の場合、カレンダーモバイルは、日付に応じて、一度限り、少なくとも２段駆動されるように設計される。当該種類のモバイルは、実際、より複雑な形態を有する。例えば、同一のカレンダーディスク上に分配されてもされなくてもよい、少なくとも２つの異なる歯の組を示してもよく、従って従来のカレンダーモバイルよりも大きな体積及びまたは断面を有する。
【０００３】
従来技術は、低密度のために選択されるアルミニウム合金製の年間カレンダー円板を含む。当該円板は、更に、駆動モバイルにより跡をつけられないために、その歯部が適切な硬度を有するように、被膜されるまたは陽極酸化処理されるまたは金メッキされる。円板と駆動モバイルまたは複数のモバイルとの歯部の間に生成される接触圧力を考えると、円板のコーティングの剥離の危険性、ひいてはムーブメントの汚染の出現の危険性が存在する。更に、円板の処理から生じる酸化アルミニウムは、駆動モバイルまたは複数のモバイルに跡をつける、または著しく跡をつける危険性があり、このためカレンダー機構の最適な動作を可能にする駆動モバイルまたは複数のモバイルの特性を悪化させる危険性がある。
【０００４】
特許文献１は、単純なカレンダー機構を開示する。カレンダー機構は、毎日、真夜中に一度限りのパルスを伝達する駆動爪が設けられた駆動モバイルにより１段駆動されるよう、内歯部が設けられた、カレンダーディスクまたは日付ディスクを含む。
【０００５】
特許文献２は、３つの高さに配置された３つの異なる歯の組が設けられた日付ディスクが設けられた年間カレンダー機構を開示し、歯の組のうち２つは、駆動モバイルにより駆動されるよう設計される。
【０００６】
特許文献３は、日付ディスクを含む年間カレンダーの日付モバイルを開示し、日付ディスクの上には、当該モバイルの駆動用の追加歯部が設けられた衛星が旋回する。
【先行技術文献】
【特許文献】
【０００７】
【特許文献１】スイス国特許出願公開第３２２３４１号明細書
【特許文献２】欧州特許出願公開第１７８５７８３号明細書
【特許文献３】欧州特許出願公開第１５９６２６１号明細書
【発明の概要】
【発明が解決しようとする課題】
【０００８】
本発明の目的は、上述の欠点を改善可能で、既知の従来技術装置を改善可能な、時間情報または時間から派生する情報を示すモバイルを提供することである。特に、本発明は、信頼性があって、堅固な、時間情報または時間から派生する情報を示すモバイルを提案する。
【課題を解決するための手段】
【０００９】
本発明にかかるモバイルは、請求項１に定義される。
【００１０】
モバイルの異なる実施形態は、従属請求項２から１１に定義される。
【００１１】
本発明にかかるクロックシステムは、請求項１２に定義される。
【００１２】
クロックシステムの一実施形態は、従属請求項１３に定義される。
【００１３】
本発明にかかるクロックムーブメントは、請求項１４に定義される。
【００１４】
本発明にかかる時計は、請求項１５に定義される。
【００１５】
添付の図面は、例として、本発明にかかる時計の２つの実施形態を示す。
【図面の簡単な説明】
【００１６】
【図１】図１は、時計の第１実施形態の線図である。
【図２】図２は、時計の第１実施形態の、時間情報または時間から派生する情報を示すモバイルの駆動機構の図である。
【図３】図３は、第１実施形態の、時間情報または時間から派生する情報を示すモバイルのリングの詳細図である。
【図４】図４は、第１実施形態の、時間情報または時間から派生する情報を示すモバイルのリングの詳細図である。
【図５】図５は、第２実施形態に係る、時間または時間から派生する情報を示すモバイルの図である。
【図６】図６は、第１実施形態または第２実施形態のいずれかに係る、時間または時間から派生する情報を示すモバイルの、歯部の各種組の配列を図示する、線図である。
【発明を実施するための形態】
【００１７】
時計３００の第１実施形態を、図１から４を参照して以下に説明する。時計は例えば小型時計、特に腕時計である。時計は、クロックムーブメント２００を含む。クロックムーブメントは、好ましくは機械式クロックムーブメントである。代替的に、クロックムーブメントは、電子式のものでもよい。
【００１８】
クロックムーブメントは、時間情報または時間から派生する情報を表示するまたは示すためのシステム１００を含む。クロックシステムは、例えば、クロックカレンダー、特に日付及びまたは曜日及びまたは月を表示するカレンダーである。カレンダーは、１日タイプのものまたは年間日付タイプのものまたは半万年日付タイプのまたは万年日付タイプのものであってもよい。システム１００は、例えば、特許文献３に開示された年間カレンダー機構１００であってもよい。
【００１９】
時間情報または時間から派生する情報を示すモバイル１０は、モバイル駆動接触作用を受けることが意図される、及びまたはモバイル割出し接触作用を受けることが意図される、及びまたはモバイル駆動接触作用を他の要素へ伝達することが意図される、少なくとも１つの障害要素１ａ、２ａ、３ａを含む。このため、モバイルは、駆動される及びまたは１以上の障害要素を駆動することができる。障害要素の１つまたは少なくともいくつかの障害要素は、チタンまたはチタン合金製である。障害要素の１つまたは少なくともいくつかの障害要素は、例えば、「グレード２」チタン合金または「グレード５」チタン合金製である。
【００２０】
第１実施形態において、時間情報または時間から派生する情報を示すモバイル１０は、円板の形態を取る、またはモバイルは実質的に円板の形状を取る、またはモバイルは実質的に円板のリングの形状、すなわち環状円板部分を取る。モバイル１０は、リング１と、ここではインジケーターまたは値表示７を用いて日付を表示する部材の役割を果たす支持部３とを含む。インジケーターは、例えば、数字またはアルファベット文字である。
【００２１】
「リング」とは、円形または環状または実質的に円形または環状形状の部品を意味する。
【００２２】
モバイルは、回転軸Ａ１を有する。当該回転軸Ａ１は、好ましくは、モバイルの全体対称軸と一致する。
【００２３】
第１実施形態において、支持部３は、リング１上に、ピンを用いて取付けられ位置決めされ、リング１にねじを用いて固定される。代替的に、支持部３は、例えば、リング１上に、リベットまたはその他適切な固定手段により取り付けられる。
【００２４】
形状１ｂ、特に開口１ｂは、モバイルの所定の形状においてモバイルの慣性の微調整を可能にするため、リングに設けることができる。
【００２５】
第１実施形態において、リング１は第１障害要素を含む、すなわち第１障害要素はリングの部分または一部により形成される。当該障害要素は、歯の第１組１ａ（または歯部）、特に少なくとも７本の歯の第１組、特に１２本の歯または１４本の歯または３１本の歯の第１組、及びまたは第１駆動爪４ａと１時間毎にまたは２４時間毎に協働するよう設計された第１組を含んでもよく、またはそれらからなってもよい。第１実施形態において、歯の第１組１ａは、月の３１日の通過を可能とするよう、３１本の歯を含む。歯の第１組１ａは、図２に示すように、駆動モバイル４の第１駆動爪４ａとの接触により協働するよう設計される。第１駆動爪は、モバイルの一部ではない。反対に第１駆動爪は、有利には、システム１００の一部である。
【００２６】
７本の歯または１４本の歯の組は、特に曜日を示すモバイル用に示される。１２本の歯の組は、特に針により時が示されないモバイル用に示される。３１本の歯の組は、特に日付を示すモバイル用に示される。
【００２７】
カレンダージャンプまたは複数のジャンプの瞬時性質は、例えばモバイル４の一部であるカムとばね−レバーを含む装置により戻されるエネルギーにより保証される。
【００２８】
第１爪４ａは、好ましくは鋼、特にＦｉｎｅｍａｃ鋼といった快削鋼またはマルエージング鋼といった硬化マルテンサイト系鋼製である。
【００２９】
出願人が実施した試験によれば、モバイル１０の同一形状及び歯部１ａの同一形状において、チタンまたはチタン合金製の歯部１ａは、アルミニウム合金歯に比べて経年劣化への良好な耐性を示す。
【００３０】
特に、チタンまたはチタン合金製の歯部１ａは、感知できるほど経年劣化で跡をつけられず、第１爪４ａに跡をつけない。「跡の不在」とは、部品の完全性が、特に部品の形状完全性が変化しないことを意味する。更に、チタンまたはチタン合金製の歯部１ａは、粒子の剥がれ落ちは無視できるほどであり、または剥がれ落ちが全く存在しない。特に、歯部１ａは、第１爪４ａへ感知可能な汚れを付着させない。
【００３１】
図３に示すように、リング１は、好ましくは歯部１ａの頂点直径として定義され、１０ｍｍより大きい、または１２ｍｍより大きい、または１４ｍｍより大きい、内径ｄ１を有する。
【００３２】
リング１は、好ましくは、３０ｍｍより小さい、または２５ｍｍより小さい、または２０ｍｍより小さい、外径ｄ２を有する。
【００３３】
図４に示すように、リング１は、好ましくは１ｍｍより小さい、または０．９ｍｍより小さい、または０．８ｍｍより小さい最大厚さｅを有する。
【００３４】
リング１は、好ましくは０．１ｍｍより大きい、または０．１５ｍｍより大きい、または０．２ｍｍより大きい最大厚さｅを有する。
【００３５】
リング１は、好ましくは４５ｍｍ３より小さい、または４０ｍｍ３より小さい、または３５ｍｍ３より小さい体積ｖを有する。
【００３６】
リング１は、好ましくは２０ｍｍ３より大きい、または３０ｍｍ３より大きい体積ｖを有する。
【００３７】
図示の第１実施形態において、歯部１ａは、内歯部である。歯部１ａの歯の先端は、リング１の内径ｄ１上に配置され、歯部１ａの歯の先端は、特に、軸Ａ１の方向に向かう。代替的に、歯部１ａは外歯部であってもよい。
【００３８】
モバイル１０は更に、第２障害要素を含む。当該障害要素は、歯の第２組２ａ（または第２歯部）、特に１本の歯または（もしカレンダーをプログラムする際に２月が考慮されない場合には）４本の歯または（特にカレンダーをプログラムする際に２月が考慮される場合には）５本の歯を含む第２組を含んでもよく、またはそれらからなってもよい。歯の第２組は、好ましくは、第２駆動爪４ｂと、少なくとも３１日より少ないいくつかの月の月末において、特に接触により協働するよう設計される。歯の第２組２ａは、５本の歯を含んでもよく、これら５本の歯は１年のうち３１日より少ない月の数に対応する。第１実施形態において、第２歯部２ａは、図２に示すように４本の歯を含む。
【００３９】
モバイル１０は、例えば、第２障害要素として、サテライトモバイル２の歯の第２組２ａを含み、歯の第２組は、サテライトモバイルの部分または一部に、特にサテライトモバイルの一部である部品の部分または一部に形成される。サテライトモバイルは、有利には、リング１及びまたは支持部３上で旋回する。
【００４０】
第１実施形態において、第２歯部２ａはモバイル１０に対して可動、特に回転運動可能であり、特にリング１に対して可動、特に回転運動可能である。第１実施形態において、第２歯部２ａは、カレンダーのフレームに対して固定されサテライトモバイル２のギヤ６と噛合する歯車５により回転駆動されるように配置される。
【００４１】
第２駆動爪はモバイルの一部ではない。反対に、第２駆動爪は、有利には、システム１００の一部である。
【００４２】
代替的に、第２歯部２ａは、その位置を制御カムにより制御可能な、格納式の歯の組の、特に格納式歯の形態をとってもよい。「格納式」の歯の組とは、モバイルに対する、及び特にリングに対する歯部モバイル、特に所定の距離及びまたは角度範囲にわたり回転及びまたは並進する歯部モバイルを意味する。第２歯部は、例えば、モバイルである、特にリング１上を旋回し、その突出部が歯を構成するレバーの形状を取ってもよい。３１日より少ない月の月末に、歯部、特に歯は、駆動モバイルの第２駆動爪により作動させられてもよい。このため、３０日の月の月末において、「３０」日から「１」日へ通過するよう、日付モバイルを２段駆動することが可能になる。
【００４３】
代替的に、第２歯部は、モバイルに対して固定されてもよい。歯部は、特に単一歯の形態を取ってもよい。この場合、第２歯部は、リングと一部品としてまたはリングと一体に製造されてもよい。この場合、リングは、第１及び第２障害要素を含み、第１及び第２障害要素は、それぞれリングの部分または一部で形成される。リングは、有利には、チタンまたはチタン合金、特に「グレード２」チタン合金または「グレード５」チタン合金から一部品として製造されてもよい。
【００４４】
３１日より少ない月の月末において、第２歯部は、カレンダーのフレームに対するその位置が接続カムにより制御される追加モバイルの駆動爪により作動されてもよい。上記で言及された他の爪と同様、駆動爪は好ましくは鋼、特にＦｉｎｅｍａｃ鋼といった快削鋼またはマルエージング鋼といった硬化マルテンサイト系鋼製である。
【００４５】
歯部１ａと同様、歯部２ａは、外歯部または内歯部の形態を取ってもよい。
【００４６】
歯部１ａ同様、歯部２ａは、チタンまたはチタン合金製であってもよい。第１爪４ａ同様、第２爪４ｂは、好ましくは鋼、特にＦｉｎｅｍａｃ鋼といった快削鋼またはマルエージング鋼といった硬化マルテンサイト系鋼製である。
【００４７】
その結果、変形例に応じて、第２歯部はモバイルの残余に対して固定されるまたは第２歯部はモバイルの残余に対して可動であり、特にモバイルの残余に対して回転運動可能であり、またはモバイルの残余に対して格納可能なように可動である。
【００４８】
第１実施形態において、モバイルは更に第３障害要素を含む。当該障害要素は、第３歯部３ａ、特に月カム及びまたはインジケーターを駆動するよう設計される第３歯部を含む。
【００４９】
第３歯部３ａは、例えば指示部３上に配置される。歯部３ａは、好ましくは支持部３と一部品として製造される。第３障害要素は、例えば指示部の部分または一部で形成される。支持部３は、同様にチタンまたはチタン合金、特に「グレード２」チタン合金または「グレード５」チタン合金から一部品として製造される。
【００５０】
代替的に、第３歯部はリング上に配置されてもよい。この場合リングは、第１、第２、及び第３障害要素を含む。第１、第２、及び第３障害要素のそれぞれは、リングの部分または一部から形成される。この場合歯部３ａは、リングと一部品として製造されてもよい。リングは、チタンまたはチタン合金、特に「グレード２」チタン合金または「グレード５」チタン合金から一部品として製造される。
【００５１】
第３歯部は、有利には、所定の月の月末または所定の月内に、月インジケーター及びまたは月カムを作動可能なように配置される。第１及び第２歯部１ａ及び２ａ同様、第３歯部３ａは、外歯部または内歯部の形態を取ってもよい。
【００５２】
上記のように、各障害要素はそれぞれ歯部１ａ、２ａ、３ａを含むことができる。これら障害要素は、複数の高さに、つまりモバイルの回転軸Ａ１に垂直な複数の平行平面Ｐ１、Ｐ２、Ｐ３に配置してよい。特に、第１障害要素は、平面Ｐ２及びＰ３と交差することなく、平面Ｐ１と交差してよい。第２障害要素は、平面Ｐ１及びＰ３と交差することなく、平面Ｐ２と交差してよい。第３障害要素は、平面Ｐ１及びＰ２と交差することなく、平面Ｐ３と交差してよい。代替的に、２つの障害要素が同一高さにあってよく、及びまたは同一平面と交差してもよい。この場合、第１障害要素は特に内歯部の形態をとり、第２障害要素は特に外歯部の形態をとることができる。
【００５３】
モバイル１０は、好ましくは第１及び第２障害要素１ａ、２ａが、特に第１及び第２歯部１ａ、２ａが共存するよう、２つの別個の高さを有する。第１実施形態において、歯部１ａ、２ａ、３ａは、３つの別個の高さに配置される。リング１が少なくとも歯部１ａ、２ａを支持する場合、リングは、第１及び第２歯部が配置される、少なくとも２つの別個の高さを有する。
【００５４】
モバイル１０は、少なくとも歯部２ａを案内する機能を、特に歯部２ａを旋回させる機能を実施するために、少なくとも部分的に潤滑油が注され及びまたは少なくとも部分的に被膜されてもよい。特にリング１は、少なくとも障害要素２ａを案内する機能を、特に障害要素２ａを旋回させる機能を実施するために、少なくとも部分的に潤滑油が注され及びまたは少なくとも部分的に被膜されてもよい。モバイル１０は、少なくともモバイル１０を案内する機能を、特にリング１を旋回させる機能を実施するために、少なくとも部分的に潤滑油が注され及びまたは少なくとも部分的に被膜されてもよい。特に、リング１は、少なくともモバイル１０を案内する機能を、特にリング１を旋回させる機能を実施するために、少なくとも部分的に潤滑油が注され及びまたは少なくとも部分的に被膜されてもよい。この種類のコーティングは、例えば、ＰＴＦＥを含んでもよい。このため、モバイルは案内部分を、特にモバイルを回転案内する部分を含み、当該部分は減摩素材で、特に潤滑剤及びまたはＰＴＦＥのようなコーティングにより被膜される。
【００５５】
モバイル１０の一部である部品は、機械加工により、特に快削により製造されてもよい。代替的に、モバイル１０の部品、特にリング１は、チタン製で、特に「グレード２」チタン合金または「グレード５」チタン合金製で、レーザー及びまたは水ジェット切断により製造されてもよい。この種類の製造プロセスは、ギヤリング機能に完全に適した歯１ａの表面粗さを得ることを可能にする。
【００５６】
カレンダー曜日モバイルまたは日付表示モバイルの場合、第１爪４ａと第１歯部１ａとの接触は、カレンダー機構の従来の動作で２４時間毎に発生する。このため、この種類のモバイルのトライボロジー要件は、チタンまたはチタン合金製の機能部分にコーティングを必要としない。
【００５７】
もちろん、この種類のモバイル１０は、時間または時間から派生する値表示を表示するためのあらゆる機構に用いることができる。例えば、この種類のモバイルは、時を表示するために、針を用いて時を示さない機構に用いることができる。この場合、モバイルへの駆動装置の接触は、ここでも一度限り、１時間毎にしか発生しない。このため、この種類のモバイルのトライボロジー要件は、チタンまたはチタン合金製の機能部分にコーティングを必要としない。
【００５８】
図５に示す時計３００の第２実施形態において、第１障害要素を構成する第１歯部１ａは、モバイルの残余と一部品として製造されてもよい、すなわち、リングと支持部が互いに一体にまたは一部品として製造されてもよい。このため、モバイルは円板であってもよい。モバイルは、チタンまたはチタン合金、特に「グレード２」チタン合金または「グレード５」チタン合金から、一部品として製造されてもよい。所定の形状のモバイルの慣性の微調整を可能とするために、形状、特に開口を、モバイル上に設けてもよい。
【００５９】
説明した実施形態において、第１歯部は内歯部である。代替的に、他の実施形態によれば、第１歯部は、外歯部であってもよい。この場合、歯の組１ａの歯の先端は、リング１の外径ｄ２上に配置される。第２歯部もまた内歯でも外歯でもよい。第３歯部もまた内歯でも外歯でもよい。
【００６０】
チタンとは、好ましくは、そのチタンの含有量が質量で９９％より多い、または９９．５％より多いあらゆる素材を意味する。「チタン合金」とは、好ましくは、重量で過半数のまたは主要な要素がチタンである、例えばグレード２チタンまたはグレード５チタン（Ｔｉ６Ａｌ４Ｖ）など、その他のあらゆる素材である。最も納得のいく結果は、グレード５チタンの使用に関連する。
【００６１】
第１実施形態において、モバイル１０は、それぞれが当該モバイルの部品の一部を形成する複数の障害要素を含む。第２実施形態において、モバイルは、円板の形態をとる同一の部品、すなわち、例えばリングと一部品に製造されたインジケーター支持部から構成される。第２実施形態において、円板は、各種障害要素を支持するまたは構成する。
【００６２】
どの場合であれ、障害要素は、モバイルを駆動する接触作用を受けることが意図される及びまたは接触作用を他の要素を駆動するために伝達することが意図される、少なくとも１つの要素を含む。障害要素はまた、例えば割出ジャンパ経由でモバイルを割り出すための接触作用を受けることが意図されてもよい。このため障害要素は、好ましくは、少なくとも１つのモバイルレバーまたは歯または歯の組または歯部を含む。
【００６３】
モバイルは、少なくとも１つのチタン製の障害要素を含む。
【００６４】
モバイルは、特に、２つまたは３つのチタン製の障害要素を含んでもよい。
【００６５】
更に、実施例または変形例がどれであれ、１以上の障害要素をモバイルの残余に、特に障害要素が提供するのとは異なる機能を提供するモバイルの部品に、特にリング上または支持部上に、取付けることができる。
【００６６】
代替的にまたは追加的に、実施例または変形例がどれであれ、１以上の障害要素をモバイルの残余または障害要素が提供するのとは異なる機能を提供するモバイルの部品、特にリングまたは支持部と、一部品としてまたは一体として製造してもよい。
【００６７】
実施例または変形例がどれであれ、第１、第２及び第３障害要素のいずれも、内歯部または外歯部により設けられてもよく、または第１、第２及び第３障害要素のいずれも、それぞれ内歯部または外歯部により設けられてもよい。
【００６８】
各種変形例において、モバイルは、一部品として製造されてもよい、または異なる部品の組立体として構成されてもよい。
【００６９】
このため、少なくとも１つの部分、特に少なくとも１つの歯の組、特に少なくとも１つのカレンダーモバイルの歯の組が、駆動モバイル及びまたはジャンパと接触により協働することが意図される、チタンまたはチタン合金製のカレンダーモバイルを提案することで、カレンダー機構、特に年間日付、または半万年日付または万年日付カレンダー機構を最適化することができる。実際、この種類の素材は、カレンダーの修正操作用に適切な硬度を、すなわちモバイルを駆動することを可能にする強度の接触作用を、特に一度限りの接触作用及びまたは点接触作用を受けるために適切な摩擦表面硬度を有する一方、単位体積当たり低質量を有するという利点を有する。この種類の素材は、好ましくは、被膜されておらず、表面硬化されていない。単位面積当たりの低質量は、駆動モバイルに提供すべきエネルギーを制限しつつ、モバイルを被駆動可能にするために、モバイルの慣性を最小化することを可能にする。
【符号の説明】
【００７０】
１        リング
１ａ      障害要素
２ａ      障害要素
３        支持部
３ａ      障害要素
４ａ      第１爪
４ｂ      第２爪
１０      モバイル
Ａ１      回転軸
【図１】
2019144226.tif 000003
【図２】
2019144226.tif 000004
【図３】
2019144226.tif 000005
【図４】
2019144226.tif 000006
【図５】
2019144226.tif 000007
【図６】
2019144226.tif 000008
【外国語明細書】
2019144226000001.pdf
2019144226000002.pdf
2019144226000003.pdf
2019144226000004.pdf